(57)【要約】      （修正有）【課題】容器の底壁部の剛性を維持しつつ、使用できずに残る薬液の量を少なくできる容器、及び、揮散装置を提供すること。【解決手段】揮散装置は、容器２０Ａ及び吸液部材を有する。容器２０Ａは、周壁部２５Ａ及び底壁部２６Ａを備える。底壁部２６Ａは、その一部が開口２１側に隆起して形成されて軸線Ｌ回りに離間して位置する３つの隆起部３１と、軸線Ｌ回りに隣接する一対の隆起部３１間にそれぞれ形成された流路部と、３つの隆起部３１間に設けられる領域に形成され、３つの流路部を合流させる合流部３４と、を備える。周壁部２５Ａ及び底壁部２６Ａの稜部は、隆起部３１の開口２１側の一端よりも開口２１側から形成され、かつ、周壁部２５Ａの軸線に直交する開口断面積が底壁部２６Ａに向かうにつれて小さく形成される【選択図】図４
2018104082.tif 000002
【特許請求の範囲】
【請求項１】
筒状に形成された周壁部と、
前記周壁部の一端を閉塞し、前記周壁部の他端側に突出した底壁部と、
を具備し、
前記底壁部は、その一部が前記他端側に隆起して形成されて前記底壁部の中心回りに離間して位置する３つの隆起部と、前記中心回りに隣接する一対の前記隆起部間にそれぞれ形成された流路部と、前記３つの隆起部間に設けられる領域に形成され、３つの前記流路部を合流させる合流部と、を具備し、
前記周壁部及び前記底壁部の稜部は、前記隆起部の前記他端側の一端よりも前記他端側から形成され、かつ、前記周壁部の軸線に直交する開口断面積が前記底壁部に向かうにつれて小さく形成される
容器。
【請求項２】
筒状に形成された周壁部と、
前記周壁部の一端を閉塞し、前記周壁部の他端側に突出した底壁部と、
を具備し、
前記底壁部は、その一部が前記他端側に隆起して形成されて前記底壁部の中心回りに離間して位置する３つの隆起部と、隣接する一対の前記隆起部間にそれぞれ形成された流路部と、前記３つの隆起部間に設けられる領域に形成され、３つの前記流路部を合流させる合流部と、を具備し、
前記周壁部は、その軸線に直交する開口断面積が、前記隆起部の前記他端側の一端よりも前記他端側から前記底壁部に向かうにつれて、小さく形成される
容器。
【請求項３】
筒状に形成された周壁部と、
前記周壁部の一端を閉塞する底壁部と、
を具備し、
前記底壁部は、凹部用周壁部、及び、前記周壁部の他端側に向かって突出する凹部用底壁部を有し、前記他端から離れる方向に凹む凹部を具備し、
前記凹部用底壁部は、その一部が前記他端側に隆起して形成されて前記凹部用底壁部の中心回りに離間して位置する３つの隆起部と、前記中心回りに隣接する一対の前記隆起部間にそれぞれ形成された流路部と、前記３つの隆起部間に設けられる領域に形成され、３つの前記流路部を合流させる合流部を具備する
容器。
【請求項４】
前記凹部用周壁部は、その前記凹部用底壁部側の一端が他端より、前記周壁部の軸線側に位置するよう傾斜する
請求項３に記載の容器。
【請求項５】
３つの前記隆起部のそれぞれの対向する面部は、前記底壁部の中心を通り、前記周壁部の軸線に平行な中心線を中心とする円弧面に形成される
請求項１乃至請求項４のうちのいずれか１項に記載の容器。
【請求項６】
請求項１，２，３のうちのいずれか１項に記載の容器と、
前記容器内に収容された吸液部材と、
を具備した揮散装置。
【発明の詳細な説明】
【技術分野】
【０００１】
本発明は、例えば芳香剤等の薬液を収容する容器、及び、この容器を備える揮散装置に関する。
【背景技術】
【０００２】
車内等の室内に芳香剤や消臭剤等を拡散する為に、揮散装置が用いられている。揮散装置は、芳香剤や消臭剤等の薬液を容器の内部に収容し、この収容した薬液を容器の内部に配置した吸液部材により吸い上げる。吸液部材により吸い上げられた薬液は、揮発し、容器の開口から周囲に出る。
【０００３】
この種の揮散装置の容器は、有底筒状に形成されており、周壁部、及び、底壁部を有している。底壁部は、その外周縁に対して径方向内側の部分が上方に盛りあがる椀状に形成されている。
【０００４】
これは、容器が落下した際に容器内の薬液の重みで底壁部が下方にさがるように変形しても、底壁部の底面の径方向内側の部分が、底面の外周縁よりも下がることを防止する為である。底壁部全体を予め椀状に盛り上げることにより、容器が落下した際に薬液の重さにより底壁部の径方向内側の部分が下方にさがるように変形しても、底壁部の径方向内側の部分が載置面に接触することを防止できる。
【０００５】
さらに、底壁部に、底壁部を部分的に隆起して形成した隆起部を形成し、容器の剛性を高める技術が知られている。この隆起部は、容器の軸線回りに離間して配置されており、４つ形成されている。４つの隆起部の径方向の内端面は、互いに対向する。そして、互いに対向する径方向内端面間に、吸液部材の下端部を配置している。また、周方向に隣接する一対の隆起部の間には、底壁部の中央部及び周縁部を連続し、容器の下端の薬液を吸液部材まで導く通路が形成されている（例えば、特許文献１参照）。
【先行技術文献】
【特許文献】
【０００６】
【特許文献１】特開２００１−２２５８８４号公報
【発明の概要】
【発明が解決しようとする課題】
【０００７】
上述の、底壁部全体を上方に椀状に盛り上げた形状の容器には、以下の問題があった。すなわち、吸液部材の下端部が底壁部の中央部に配置されることにより、この下端部は、底壁部の外周縁よりも高い位置に配置されることとなる。この為、容器内の薬液の残量が少なくなったとき、この周縁部に溜まった薬液は吸液部材により吸い上げられることなく、残ってしまうという問題がある。特に、底壁部に隆起部が形成される場合では、隆起部及び周壁部の間、並びに、隣接する一対の隆起部間の流路部にも薬液が残ってしまい、使用できずに容器内に残る薬液の量が多くなる。
【０００８】
そこで本発明は、容器の剛性を維持しつつ、使用できずに残る薬液の量を少なくできる容器、及び、揮散装置を提供することを目的とする。
【課題を解決するための手段】
【０００９】
前記課題を解決し目的を達成するために、本発明の容器は、筒状に形成された周壁部と、前記周壁部の一端を閉塞し、前記周壁部の他端側に突出した底壁部と、を備える。前記底壁部は、その一部が前記他端側に隆起して形成されて前記底壁部の中心回りに離間して位置する３つの隆起部と、前記中心回りに隣接する一対の前記隆起部間にそれぞれ形成された流路部と、前記３つの隆起部間に設けられる領域に形成され、３つの前記流路部を合流させる合流部と、を備える。前記周壁部及び前記底壁部の稜部は、前記隆起部の前記他端側の一端よりも前記他端側から形成され、かつ、前記周壁部の軸線に直交する開口断面積が前記底壁部に向かうにつれて小さく形成される。
【００１０】
他の本発明の容器は、筒状に形成された周壁部と、前記周壁部の一端を閉塞し、前記周壁部の他端側に突出した底壁部と、を備える。前記底壁部は、その一部が前記他端側に隆起して形成されて前記底壁部の中心回りに離間して位置する３つの隆起部と、隣接する一対の前記隆起部間にそれぞれ形成された流路部と、前記３つの隆起部間に設けられる領域に形成され、３つの前記流路部を合流させる合流部と、を備える。前記周壁部は、その軸線に直交する開口断面積が、前記隆起部の前記他端側の一端よりも前記他端側から前記底壁部に向かうにつれて、小さく形成される。
【００１１】
他の本発明の容器は、筒状に形成された周壁部と、前記周壁部の一端を閉塞する底壁部と、を備える。前記底壁部は、凹部用周壁部、及び、前記周壁部の他端側に向かって突出する凹部用底壁部を有し、前記他端から離れる方向に凹む凹部を具備し、前記凹部用底壁部は、その一部が前記他端側に隆起して形成されて前記凹部用底壁部の中心回りに離間して位置する３つの隆起部と、前記中心回りに隣接する一対の前記隆起部間にそれぞれ形成された流路部と、前記３つの隆起部間に設けられる領域に形成され、３つの前記流路部を合流させる合流部を備える。
【００１２】
前記課題を解決し目的を達成する為に、本発明の揮散装置は、上述のいずれか１つの容器と、前記容器内に収容された吸液部材と、を備える。
【発明の効果】
【００１３】
本発明によれば、容器の剛性を維持しつつ、使用できずに残る薬液の量を少なくできる容器、及び、揮散装置を提供できる。
【図面の簡単な説明】
【００１４】
【図１】本発明の第１の実施形態に係る揮散装置を一部切り欠いて示す正面図。
【図２】同容器を示す側面図。
【図３】同容器の底壁部の内面を示す同容器の断面図。
【図４】本発明の第２の実施形態に係る揮散装置の容器を示す正面図。
【図５】同容器を示す側面図。
【図６】同容器の底壁部を示す同容器の断面図。
【図７】本発明の第３の実施形態に係る揮散装置の容器を示す正面図。
【図８】同容器を示す側面図。
【図９】容器の底壁部を示す同容器の断面図。
【図１０】同容器の変形例を示す正面図。
【図１１】本発明の第４の実施形態に係る揮散装置の容器を示す正面図。
【図１２】同容器の底壁部を示す同容器の断面図。
【発明を実施するための形態】
【００１５】
本発明の第１の実施形態に係る揮散装置１０を、図１乃至図３を用いて説明する。図１は、揮散装置１０を一部切り欠いて示す正面図である。図２は、容器２０を示す側面図である。図３は、容器２０の底壁部２６を示す容器２０の断面図である。図３は、容器２０を、本体部２４でその軸方向に直交する断面に沿って切断し、上方から見た状態を示している。
【００１６】
図１に示すように、揮散装置１０は、薬液を収容可能に形成された有底筒状の容器２０、容器２０の開口２１内に配置された中栓４０、中栓４０内に配置され、薬液を吸い上げることが可能に形成された棒状の吸液部材５０、及び、容器２０に着脱可能に取り付けられる放散器８０を有している。本実施形態では、容器２０の軸方向のうちの開口２１側を上として、揮散装置１０の上下方向を設定する。
【００１７】
また、揮散装置１０は、図示していないが、中栓４０に対して着脱可能に取り付けられるキャップを有している。このキャップは、揮散装置１０の出荷時に取り付けられており、薬液が中栓４０を通して外部に漏れ出ることを防止可能に形成されている。キャップは、揮散装置１０の使用時には、使用者により取り外される。
【００１８】
容器２０は、例えば樹脂材料から形成されている。容器２０は、例えばブロー成形により形成されている。容器２０は、外周面に雄ねじが形成された筒状の首部２２、首部２２の下端に連続して形成され、なだらかに拡径する肩部２３、及び、肩部２３の下端に連続して形成された本体部２４を有している。首部２２、肩部２３、及び、本体部２４は、一体に形成されている。
【００１９】
本体部２４は、例えば、首部２２と同軸に形成されている。本体部２４は、その軸方向に直交する断面に沿って切断した形状が、例えば、楕円状となる有底筒状に形成されている。本体部２４は、具体的には、肩部２３に連続して形成された周壁部２５、及び、底壁部２６を有している。周壁部２５は、その外周面２７が軸方向に平行または略平行に形成されている。周壁部２５は、その軸方向に断面形状が同一形状に形成されている。
【００２０】
底壁部２６は、本体部２４の一端を閉塞している。底壁部２６は、その外周縁２９より径方向内側の位置３２から径方向内側の部分が、上方に椀状に盛り上がる形状に形成されている。ここで言う、盛り上がるとは、他の部分に比較して厚みが増大することにより突出することではなく、底壁部２６の一部が厚みを他の部分と同じまたは略同じとして、突出することである。また、椀状は、底壁部２６が上方に突出する形状の一例である。底壁部２６が突出することは、容器２０が落下した際に容器２０内の薬液の重みで底壁部２６が下方にさがるように変形しても、底壁部２６の底面２６ａの径方向内側の部分が、底面２６ａの外周縁よりも下がることを防止する為である。底壁部２６ａを突出させることにより、容器２０が落下した際に薬液の重さにより底壁部２６ａの径方向内側の部分が下方にさがるように変形しても、底壁部２６の径方向内側の部分が載置面に接触することを防止できる。本実施形態では、底壁部２６の突出の程度は、揮散装置１０が一般に使用される高さから落下した場合においても、底壁部２６の径方向内側の部分が底面２６ａの外周縁より下がることを防止可能となるように設定されている。位置３２をつなぐ線は、平面形状で楕円状に形成される。すなわち、位置３２をつなぐ線は、底壁部２６において椀状に形成される部分の外周縁となる。
【００２１】
図３に示すように、底壁部２６の外周縁２９及び位置３２の間の範囲Ｒは、環状に形成されている。底壁部２６の底面２６ａ及び内面２６ｂにおいて、外周縁２９から位置３２までの範囲Ｒは、容器２０の軸線Ｌに直交する平面に形成されている。軸線Ｌは、直線である。なお、底面２６ａは、底壁部２６において容器２０の外側に面する面である。内面２６ｂは、容器２０内に面する面である。なお、本実施形態では、周壁部２５は、容器２０と同軸である。すなわち、周壁部２５の軸線は、容器２０の軸線と同じである。また、軸線Ｌは、底壁部２６の中心を通る。
【００２２】
この為、底面２６ａの中央部は、外周縁２９よりも上方に位置している。また、底面２６ａ及び内面２６ｂにおいて後述する隆起部３１以外の部分は、上方に椀状に突出するなだらかな曲面に形成されている。底面２６ａの中心、すなわち、軸線Ｌが通る位置が、底面２６ａにおいて、隆起部３１を除いた部分において最も高い位置となる。内面２６ｂの中心、すなわち、軸線Ｌが通る位置が、内面２６ｂにおいて、隆起部３１を除いた部分において最も高い位置となる。
【００２３】
底壁部２６及び周壁部２５の稜部３０は、下方に向かうにつれて、径方向内側に向かって縮径している。この為、底壁部２６の外周縁２９は、周壁部２５よりも径方向内側に配置されている。稜部３０は、本実施形態では、その内周面３０ａ及び外周面３０ｂが、容器２０の軸方向に対して傾斜する傾斜面に形成されている。すなわち、稜部３０の軸方向に直交する開口断面積は、底壁部２６に向かうにつれて小さくなる。
【００２４】
底壁部２６には、図３に示すように、本体部２４の軸方向に見た形状となる平面視での形状が扇状の３つの隆起部３１が形成されている。より具体的説明すると、隆起部３１の平面形状は、楕円を３分割した１つの扇状と同様の形状である。３つの隆起部３１は、底壁部２６の一部が上方に椀状に隆起することにより形成されている。３つの隆起部３１は、容器２０に剛性を付与可能に形成されている。３つの隆起部３１は、軸線Ｌ回り、すなわち底壁部２６の中心回りに並んで配置されている。ここで言う隆起とは、他の部分に比較して厚みが増大することにより突出することではなく、底壁部２６の一部が厚みを他の部分と同じまたは略同じとして、突出することである。また、ここでいう椀状とは、隆起部３１が隆起する形状、すなわち、上方に突出する形状の一例である。
【００２５】
隆起部３１は、具体的には、位置３２より径方向内側に形成されており、周方向に離間して配置されている。すなわち、隆起部３１の外周縁の一部は、位置３２に配置されている。隆起部３１は、図１及び図２に示すように、底壁部２６の径方向内側に向かって次第に高くなる形状に形成されている。
【００２６】
図３に示すように、周方向に隣接配置された一対の隆起部３１の間には、底壁部２６の中央部、及び、容器２０内の下端部の外周部を連通する流路部３３が形成されている。周方向に隣接配置された一対の隆起部３１の間の溝が、流路部３３となっている。底壁部２６には、３つの流路部３３が形成されている。流路部３３は、容器２０の軸方向に見た平面視で直線状に形成されている。
【００２７】
３つの流路部３３は、底壁部２６の径方向の中央部で合流している。３つの流路部３３が合流する合流部３４は、３つの隆起部３１の底壁部２６の径方向の内端である径方向内端面（面部）３５により構成されている。径方向内端面３５は、隆起部３１の内面３６のうち容器２０の軸線Ｌに面する部分である。径方向内端面３５は、軸線Ｌを中心とする円弧面に形成されている。また、径方向内端面３５は、上に向かうにつれて拡径する面に形成されている。具体的には、径方向内端面３５は、軸線Ｌを中心線とする円錐の外周面の一部となる。すなわち、径方向内端面３５は、容器２０の軸方向に対して傾斜している。
【００２８】
次に、隆起部３１の内面３６の上端３７、及び、稜部３０の関係について、説明する。上端３７は、隆起部３１の、容器２０の開口側に最も突出した部分である。３つの隆起部３１のそれぞれの上端３７の、軸方向の高さ位置は、同じである。換言すると、図１に示すように揮散装置１０を上下方向に直交する平面である載置面Ｐ上に載置すると、載置面Ｐから３つの隆起部３１のそれぞれの上端３７までの高さは等しい。
【００２９】
稜部３０の上端３８は、隆起部３１の内面３６の上端３７よりも高い。すなわち、容器２０は、隆起部３１よりも高い位置から縮径するように形成されている。上端３７及び上端３８は、容器２０の軸方向に距離Ｄ離れている。
【００３０】
中栓４０は、容器２０の首部２２内に嵌まる形状に形成されている。中栓４０は、例えば、筒状に形成されている。中栓４０は、その内部に、吸液部材５０を配置可能な孔４１が形成されている。中栓４０は、首部２２内に配置されると、首部２２の開口において吸液部材５０を配置する孔４１と、容器２０内の薬液が減少することに伴う容器２０内の圧力変化を調整する通気穴（図示せず）以外の部分を閉塞する。
【００３１】
孔４１は、吸液部材５０が嵌まる。例えば、吸液部材５０は、その断面が円にとなる円柱状に形成されている。孔４１の内周面の径は、例えば、吸液部材５０の外周面と同じ、または、若干大きい。
【００３２】
吸液部材５０は、中栓４０の孔４１内に配置されている。吸液部材５０は、その下端部が、合流部３４内に配置されている。すなわち、中栓４０は、吸液部材５０を容器２０と同軸に配置可能に形成されている。吸液部材５０は、容器２０内の薬液を吸い上げて、その上端部に導くことが可能に形成されている。吸液部材５０の上端部は、中栓４０よりも上方に位置している。また、吸液部材５０の上端部には、吸液部材５０で吸い上げた薬液を含浸させて揮散させる揮散部材６０が接触している。揮散部材６０は放散器８０内に保持されており、吸液部材５０から揮散部材６０に到達した薬液が蒸発して揮散装置１０の外部に放出されることにより、周囲に拡散される。
【００３３】
このように構成された揮散装置１０では、稜部３０により、容器２０が隆起部３１の上端３７よりも高い位置から縮径する形状に形成される。さらに、隆起部３１は、容器２０の径方向に稜部３０と対向する。この為、隆起部３１及び稜部３０の径方向の間に規定される、吸液部材５０により吸い上げられない薬液が溜まる可能性のある空間Ａの容積を小さくすることができる。
【００３４】
例えば、稜部３０が隆起部３１の上端３７よりも低い位置に形成されると、隆起部３１は、容器２０の径方向に、周壁部２５の一部、及び、稜部３０と対向することとなる。この場合では、稜部３０、稜部３０に径方向に対向する周壁部２５の一部、及び、稜部３０により囲まれる、吸液部材５０により吸い上げられない薬液が溜まる可能性のある空間の容積は、上述の空間Ａの容積よりも大きくなる。
【００３５】
この為、周壁部２５より縮径する稜部３０を、隆起部３１の上端３７よりも高い位置に配置することにより、薬液が溜まる空間Ａの容積を小さくできるので、容器２０内に使用されずに残る薬液の量を少なくできる。また、外周縁２９および位置３２の間の範囲Ｒを小さくすることによっても、薬液が溜まる空間Ａの容積を小さくできるので、範囲Ｒを小さくすることが望ましい。
【００３６】
さらに、流路部３３内にも使用されずに残る薬液が溜まるが、隆起部３１の数を３つとすることにより、流路部３３の数を３つにすることができる。流路部３３の数を３つとすることにより、使用されずに残る薬液の量を少なくすることができる。なお、本実施形態では、流路部３３の幅Ｗは、図３に示すように、流路部３３の底面３３ａの幅である。底面３３ａは、隣接する２つの隆起部３１の間の長さとなる。幅Ｗを、４．５ｍｍとすることにより、流路部３３の幅を狭くできるので、吸液部材５０により吸い上げることができずに流路部３３内に残る薬液の量を少なくできる。なお、幅Ｗを４．５ｍｍとすることは一例であり、これに限定されるものではない。しかしながら、本実施形態のように流路部３３の幅Ｗを４．５ｍｍなどの狭い幅とすることは、吸液部材５０により吸い上げられることなく流路部３３内に残る薬液の量を少なくできるので、好ましい。このように、本実施形態の揮散装置１０によれば、容器２０の剛性を維持しつつ、容器２０内に残る使用できない薬液の量を少なくできる。
【００３７】
また、合流部３４を構成する隆起部３１のそれぞれの底壁部２６の径方向内端面３５が、軸線Ｌを中心とする円弧面に形成されることにより、容器２０に吸液部材５０を差し込んだときに、吸液部材５０の下端部が径方向内端面３５にガイドされることにより、スムーズに合流部３４内に案内される。さらに、径方向内端面３５が、容器２０の軸方向に対して傾斜する面に形成されることにより、吸液部材５０を合流部３４内に、より一層スムーズに案内することができる。
【００３８】
次に、本発明の第２の実施形態に係る揮散装置に用いられる容器２０Ａを、図４乃至図６を用いて説明する。なお、第１の実施形態と同様の機能を有する構成は、第１の実施形態と同一の符号を付して説明を省略する。
【００３９】
図４は、本実施形態の揮散装置の容器２０Ａを示す正面図である。図５は、容器２０Ａを示す側面図である。図６は、容器２０Ａの底壁部２６Ａを示す容器２０の断面図である。図６は、容器２０Ａを、本体部２４Ａで軸方向に直交する断面に沿って切断し、上方から見た状態を示している。
【００４０】
本実施形態の揮散装置は、薬液を収容可能に形成された有底筒状の容器２０Ａ、容器２０Ａの開口２１内に配置された中栓、中栓内に配置され、薬液を吸い上げることが可能に形成された吸液部材、及び、容器２０Ａに着脱可能に取り付けられる放散器を有している。なお、中栓、吸液部材、揮散部材及び、放散器は、第１の実施形態の中栓４０、吸液部材５０、揮散部材６０、放散器８０と同様のものが用いられる。本実施形態の中栓は、吸液部材５０を、底壁部２６Ａの中心線Ｃ１と同軸に配置可能に形成されており、吸液部材の下端部を底壁部２６Ａの中央部に形成された合流部３４内に配置する。
【００４１】
容器２０Ａは、例えば樹脂材料から形成されている。容器２０Ａは、例えばブロー成形により形成されている。図４に示すように、容器２０Ａは、首部２２、肩部２３、及び、肩部２３の下端に連続して形成された本体部２４Ａを有している。首部２２、肩部２３、及び、本体部２４Ａは、一体に形成されている。本体部２４Ａは、外観が直方体状に形成されている。本体部２４Ａは、具体的には、肩部２３に連続して形成された周壁部２５Ａ、及び、底壁部２６Ａを有している。
【００４２】
周壁部２５Ａは、その外周面２７Ａの少なくとも一部が、図５及び図６に示すように、本体部２４Ａの軸方向に直交する開口断面積が下方に向かうにつれて小さくなるように形成されている。周壁部２５Ａは、軸方向に直交する開口断面積が下方に向かうにつれて小さくなるように、例えば、その一部が容器２０Ａの軸方向に傾斜してもよい。または、周壁部２５Ａの少なくとも一部が、湾曲する形状に形成されてもよい。
【００４３】
本実施形態では、周壁部２５Ａは、前壁部７０、一対の側壁部７１、及び、後壁部７２を有している。前壁部７０、及び、一対の側壁部７１は、下方に向かうにつれて容器２０Ａの底壁部２６Ａの中心線Ｃ１に近づくように湾曲している。後壁部７２は、軸方向に平行に形成されている。なお、本実施形態では、本体部２４Ａは、直方体状に形成されたが、ここで言う直方体状は、厳密に直方体であることではない。本実施形態では、前壁部７０、及び、側壁部７１の稜部の内面及び外面は、曲面に形成されている。後壁部７２、及び、側壁部７１の稜部の内面及び外面は、曲面に形成されている。また、前壁部７０、一対の側壁部７１、及び、後壁部７２のそれぞれは、図６に示すように、容器２０Ａの軸線に直交する断面の形状が、湾曲する形状に形成されている。
【００４４】
底壁部２６Ａは、図６に示すように、容器２０Ａの軸方向に見た形状すなわち平面視での形状が矩形状に形成されている。なお、ここで言う矩形とは、厳密に矩形であることではない。本実施形態では、底壁部２６Ａは、図６に示すように、その外縁が、前壁部７０、側壁部７１に応じて曲線に形成されている。
【００４５】
底壁部２６Ａは、第１の実施形態の底壁部２６と同様に揮散装置の落下に伴い薬液の重さにより変形しても底壁部２６Ａの内側の部分が外周縁よりも下がることを防止可能に、その外周縁より内側部分が、上方に椀状に盛り上がる形状に形成されている。ここで言う、盛り上がるとは、他の部分に比較して厚みが増大することにより突出することではなく、底壁部２６Ａの一部が厚みを他の部分と同じまたは略同じとして、突出することである。また、椀状は、底壁部２６Ａが上方に突出する形状の一例である。
【００４６】
底壁部２６Ａは、３つの隆起部３１、３つの流路部３３、及び、合流部３４が形成されている。３つの隆起部３１、３つの流路部３３、及び、合流部３４は、第１の実施形態と同様に形成されている。なお、本実施形態の隆起部３１のそれぞれは、底壁部２６Ａが平面視矩形状に形成されていることから、矩形を３つに分けた形状の１つとなる形状に形成されており、平面視で３角形状に形成されている。また、３つの隆起部３１は、底壁部２６Ａの中心を通る中心線Ｃ１回りに並んで配置されている。中心線Ｃ１は、周壁部２５Ａの軸線Ｌに平行な直線である。
【００４７】
また、隆起部３１は、底壁部２６Ａを、第１の実施形態と同様に、隆起することにより形成されている。隆起部３１の径方向内端面３５は、本実施形態では中心線Ｃ１に対向する面部であり、中心線Ｃ１を中心とする円弧面に形成されている。また、径方向内端面３５は、上に向かうにつれて拡径する面に形成されている。具体的には、径方向内端面３５は、軸線Ｌを中心線とする円錐の外周面の一部となる。すなわち、径方向内端面３５は、容器２０の軸方向に対して傾斜している。本実施形態の径方向内端面３５は、第１の実施形態の径方向内端面３５と同様の機能を有する。
【００４８】
底壁部２６Ａの内面において、隆起部３１を除いた部分では、中心線Ｃ１が通る中心が最も高い位置となる。底壁部２６Ａの底面において、隆起部３１を除いた部分では、中心線Ｃ１が通る中心が最も高い位置となる。
【００４９】
本実施形態の揮散装置の容器２０Ａでは、周壁部２５Ａは、その前壁部７０及び一対の側壁部７１が、それぞれの下端がそれぞれの上端より中心線Ｃ１側に配置されるように湾曲していることにより、本体部２４Ａの、その軸方向に直交する開口断面積が下方に向かうにつれて小さくなる。
【００５０】
この為、隆起部３１及び周壁部２５Ａの間に構成される、吸液部材５０により吸い上げられることがなく残る薬液が溜まる空間Ｂの容積を、周壁部２５Ａが軸線に平行に形成される場合に比較して小さくすることができる。この為、本実施形態においても、第１の実施形態と同様の効果が得られる。
【００５１】
次に、本発明の第３の実施形態に係る揮散装置に用いられる容器２０Ｂを、図７乃至図９を用いて説明する。なお、第１の実施形態と同様の機能を有する構成は、第１の実施形態と同一の符号を付して説明を省略する。
【００５２】
図７は、容器２０Ｂを示す正面図である。図８は、容器２０Ｂを示す側面図である。図９は、容器２０Ｂの底壁部２６Ｂを示す容器２０Ｂの断面図である。図１０は、容器２０Ｂを示す正面図である。
【００５３】
図７に示すように、本実施形態の揮散装置は、薬液を収容可能に形成された有底筒状の容器２０Ｂ、容器２０Ｂの開口２１内に配置された中栓、中栓内に配置され、薬液を吸い上げることが可能に形成された吸液部材、及び、容器２０Ａに着脱可能に取り付けられる放散器を有している。なお、中栓、吸液部材、揮散部材、及び、放散器は、第１の実施形態の中栓４０、吸液部材５０，揮散部材６０、放散器８０と同様のものが用いられる。本実施形態の中栓は、第１の実施形態と同様に、吸液部材を容器２０Ｂと同軸に配置し、吸液部材の下端部が底壁部２６Ｂの中央部に形成された合流部３４内に配置可能に形成されている。
【００５４】
容器２０Ｂは、例えば樹脂材料から形成されている。容器２０Ｂは、例えばブロー成形により形成されている。容器２０Ｂは、首部２２、肩部２３、及び、肩部２３の下端に連続して形成された本体部２４Ｂを有している。本体部２４Ｂは、例えば、首部２２と同軸に形成されている。首部２２、肩部２３、及び、本体部２４Ｂは、一体に形成されている。本体部２４Ｂは、図９に示すように、軸方向に直交する断面に沿って切断した形状が楕円状となる形状に形成されている。本体部２４Ｂは具体的には、周壁部２５、及び、底壁部２６Ｂを有している。本実施形態では、容器２０Ｂの軸線Ｌは、周壁部２５の軸線と同じであり、かつ、底壁部２６Ｂの中心を通る。すなわち、軸線Ｌは、底壁部２６Ｂの中心線と同じである。
【００５５】
底壁部２６Ｂは、その外周縁２９Ｂよりも径方向内側の位置３２Ｂから内側の範囲に、下方に下がる凹部１０１が形成されている。底壁部２６Ｂにおいて外周縁２９Ｂ及び位置３２Ｂの間の範囲Ｒ１は、環状に形成されている。さらに、底壁部２６Ｂの底面２６Ｂａ及び内面２６Ｂｂの範囲Ｒ１の部分は、容器２０Ｂの軸方向に直交する平面に形成されている。
【００５６】
凹部１０１は、具体的には、凹部用周壁部１０２、及び、凹部用底壁部１０３を有している。凹部用周壁部１０２は、その内周面及び外周面が容器２０Ｂの軸方向に平行に形成されている。凹部用底壁部１０３は、平面形状が楕円状に形成されている。凹部用底壁部１０３は、図８及び図９に示すように、凹部用底壁部１０３の外周縁１０４より径方向内側の部分が、第１の実施形態の底壁部２６と同様に揮散装置の落下に伴い薬液の重さにより変形しても凹部用底壁部１０３径方向の内側の部分が外周縁よりも下がることを防止可能に、上方に向かって椀状に盛り上がる形状に形成されている。凹部用周壁部１０２の中心は、本実施形態では、底壁部２６Ｂの中心と一致している。この為、軸線Ｌは、凹部用周壁部１０２の中心を通る。ここで言う、盛り上がるとは、他の部分に比較して厚みが増大することにより突出することではなく、底壁部２６の一部が厚みを他の部分と同じまたは略同じとして、突出することである。また、椀状は、底壁部２６が上方に突出する形状の一例である。
【００５７】
凹部用底壁部１０３には、３つの隆起部３１、３つの流路部３３、及び、合流部３４が形成されている。３つの隆起部３１、３つの流路部３３、及び、合流部３４は、第１の実施形態と同様に形成されている。３つの隆起部３１は、軸線Ｌ回り、すなわち凹部用底壁部１０３の中心回りに並んで配置されている。また、隆起部３１は、底壁部２６Ｂを、第１の実施形態と同様に隆起することにより形成されている。本実施形態の隆起部３１は、第１の実施形態と同様に、径方向内端面３５は、軸線Ｌを中心とする円弧面であり、かつ、軸方向に傾斜している。隆起部３１の内面３６の上端３７は、外周縁２９Ｂよりも上方に位置している。凹部用底壁部１０３の内面において、隆起部３１を除いた部分では、軸線Ｌが通る中心１０６が、最も高い位置となる。凹部用底壁部１０３の底面において、隆起部３１を除いた部分では、軸線Ｌが通る中心が最も高い位置となる。
【００５８】
本実施形態の揮散装置の容器２０Ｂでは、吸液部材５０により吸い上げられずに容器２０Ｂ内に残る薬液は、凹部用周壁部１０２及び隆起部３１の間の空間Ｃに溜まる。凹部１０１は、容器２０Ｂの周壁部２５よりも径方向内側の範囲に形成されている。この為、凹部１０１が形成されない場合に比較して、空間Ｃの容積を小さくできるので、使用できずに容器２０内に残る薬液の量を小さくすることができる。さらに、３つの隆起部３１が形成されることにより、容器２０Ｂに剛性を付与することができる。この為、記載装置１０Ｂは、第１の実施形態と同様の効果を得ることができる。
【００５９】
なお、本実施形態では、周壁部２５及び底壁部２６の間の稜部３０の上端３８は、隆起部３１の上端３７よりも上方に位置しているが、これに限定されない。これは、凹部１０１により、吸液部材５０により吸い上げられずに残る薬液の量を少なくすることができる為である。
【００６０】
また、本実施形態では、凹部１０１の凹部用周壁部１０２は、容器２０Ｂの軸方向に平行に形成されている。すなわち、凹部用周壁部１０２の内周面及び外周面は、容器２０Ｂの軸方向に平行に形成されている。しかしながら、これに限定されない。例えば、図１０に示す容器２０Ｂの変形例のように、凹部用周壁部１０２は、容器２０Ｃの軸方向に対して、凹部用周壁部１０２の下端１０２ａが、凹部用周壁部１０２の上端１０２ｂよりも径方向内側に配置されるように傾斜してもよい。
【００６１】
凹部用周壁部１０２が上述のように傾斜することにより、空間Ｃの容積をより一層小さくできるので、容器２０Ｃ内に使用されずに残る薬液の量を少なくすることができる。
【００６２】
次に、第４の実施形態に係る揮散装置に用いられる容器２０Ｃを、図１１及び図１２を用いて説明する。なお、第３の実施形態と同様の機能を有する構成は、第３の実施形態と同一の符号を付して説明を省略する。
【００６３】
図１１は、容器２０Ｃを示す正面図である。図１２は、容器２０Ｃの底壁部２６Ｃを示す容器２０Ｃの断面図である。図１２は、容器２０Ｃを、本体部２４Ｃでその軸方向に直交する断面に沿って切断し、上方から見た状態を示している。
【００６４】
本実施形態の揮散装置は、薬液を収容可能に形成された有底筒状の容器２０Ｃ、筒状に形成され、容器２０Ｃの開口２１内に配置された中栓、中栓内に配置され、薬液を吸い上げることが可能に形成された吸液部材、及び、容器２０Ｃに着脱可能に取り付けられる放散器を有している。なお、中栓、吸液部材、揮散部材及び放散器は、第１の実施形態の中栓４０、吸液部材５０、揮散部材６０、放散器８０と同様のものが用いられる。本実施形態の中栓は、第１の実施形態と同様に、吸液部材を容器２０Ａと同軸に配置し、吸液部材の下端部を底壁部２６Ｃの中央部に形成された合流部３４内に配置可能に形成されている。容器２０Ｃは、例えば樹脂材料から形成されている。容器２０Ｃは、例えばブロー形成により形成されている。容器２０Ｃは、首部２２、肩部２３、及び、肩部２３の下端に連続して形成された本体部２４Ｃを有している。
【００６５】
本体部２４Ｃは、例えば、首部２２と同軸に形成されている。本体部２４Ｃは、図１１に示すように、容器２０Ｃの軸方向に直交する断面に沿って切断した形状が楕円状となる形状に形成されている。本体部２４Ｃは、具体的には、周壁部２５、及び、底壁部２６Ｃを有している。本実施形態では、容器２０Ｃの軸線Ｌは、周壁部２５の軸線と同じであり、かつ、底壁部２６Ｃの中心を通る。すなわち、軸線Ｌは、底壁部２６Ｃの中心線と同じである。
【００６６】
底壁部２６Ｃは、凹部１０１が形成されている。凹部１０１は、底壁部２６Ｃの外周縁２９Ｃよりも一段下がる形状に形成されている。凹部１０１は、具体的には、凹部用周壁部１０２Ｃ、及び、凹部用底壁部１０３を有している。凹部用底壁部１０３は、第３の実施形態と同様に形成されている。すなわち、凹部用底壁部１０３の外周縁１０４より径方向内側の部分が、上方に向かって椀状に盛り上がる形状に形成されており、さらに、３つの隆起部３１、３つの流路部３３、及び、その中央部に合流部３４が形成されている。３つの隆起部３１は、軸線Ｌ回りに並んで配置されている。隆起部３１、流路部３３、及び、合流部３４は、第３の実施形態と同様に形成されている。凹部用周壁部１０２Ｃは、図１２に示すように、その内周面及び外周面を、その軸方向に直交する断面に沿って切断した形状が、楕円状に形成されている。
【００６７】
また、凹部用周壁部１０２Ｃは、容器２０Ｃの径方向外側に向かって突出する突出部１１０が形成されている。突出部１１０は、凹部用周壁部１０２Ｃの一部が径方向外側に屈曲して突出する形状を有している。突出部１１０は、本実施形態では、２つ形成されており、それぞれ、上述のよう楕円状に形成された周壁部１０２Ｃの、長軸Ｌ０と交差する部分に形成されている。
【００６８】
本実施形態では、第３の実施形態と同様の効果が得られる。さらに、周壁部１０２Ｃに突出部１１０が形成されることにより、空間Ｃの容積をさらに小さくできる。この効果について、具体的に説明する。
【００６９】
突出部１１０が形成されることにより、底壁部２６Ｃの載置面Ｐとの接触面積を、突出部１１０の分、増大することができる。容器２０Ｃは、載置面Ｐに載置された際に、底壁部２６Ｃの載置面Ｐとの接触面積が大きいほど、その姿勢が安定する。また、凹部１０１の径が大きいほど、底壁部２６Ｃの載置面Ｐとの接触面積が大きくなる
これらのことより、本実施形態では、突出部１１０による底壁部２６Ｃの載置面Ｐとの接触面積の増大分、凹部１０１の径を小さくし、底壁部２６Ｃの載置面Ｐとの必要な接触面積を維持している。必要な接触面積とは、揮散装置を載置面Ｐに載置した際の姿勢を安定させることができる面積である。
【００７０】
このように、凹部１０１の径を小さくすることができることにより、凹部用周壁部１０２Ｃ及び隆起部３１の間の空間Ｃの容積を小さくできるので、容器２０Ｃ内で使用されずに残る薬液の量を少なくすることができる。
【００７１】
なお、本発明、及び、第１〜４の実施形態でいう筒状は、楕円筒状や直方体状の筒状に限定されるものではない。筒状は、他の例では、円筒や、矩形の筒状や、三角形の筒状等も含む。要するに、筒状は、その軸線回りに一周連続する周壁部を有する形状である。
【００７２】
また、第１〜４の実施形態では、容器２０は、首部２２、肩部２３、及び、本体部２４，２４Ａ，２４Ｂ，２４Ｃを有しており、軸方向に断面形状が異なる筒状に形成されている。本発明で言う筒状とは、このように、その軸方向に断面形状が異なる形状も含む。しかしながら、これに限定されない。他の例では、容器２０は、首部２２及び肩部２３を有さず、本体部２４，２４Ａ，２４Ｂ，２４Ｃのみを有する構成であってもよい。
【００７３】
また、第１〜４の実施形態では、隆起部３１は、底壁部２６，２６Ａ，２６Ｂ，２６Ｃが、その厚みを底壁部の他の部分と同じまたは略同じまま突出することにより形成されたが、これに限定されない。他の例では、隆起部３１は、底壁部２６，２６Ａ，２６Ｂ，２６Ｃの厚みを底壁部の他の部分に比べて厚くすることにより突出させる形状であってもよい。
【００７４】
また、第１〜４の実施形態の揮散装置１０は、その構成として、容器２０，２０Ａ，２０Ｂ，２０Ｃ、中栓４０、吸液部材５０、揮散部材６０及び放散器８０を有しているがこれに限定されない。他の例では、中栓４０、放散器８０を備えない構成であってもよい。要するに、揮散装置は、容器と、容器内の薬液を吸い上げる吸液部材を有すればよく、容器自体が、吸液部材の下端部を合流部３４内に配置可能に形成されてもよい。この場合では、例えば、容器の首部等の開口部が、吸液部材が嵌まる形状に形成されてもよい。
【００７５】
また、第１〜４の実施形態では、底壁部２６，２６Ａ、凹部用底壁部１０３が突出する形状は、一例として椀状であるが、これに限定されない。例えば、椀状の深さは限定されない。さらに他の例では、ドーム状や、皿状であってもよい。底壁部が突出することにより、容器が落下した際に薬液の重みにより底壁部の内側部分が外周縁より下がることを防止できればよい。なお、容器２０が落下する高さは、使用環境によって異なる。この為、第１〜４の実施形態では、一例として、使用される高さを想定して、底壁部の突出の程度が決定されている。しかしながら、底壁部が突出していることによって、少なくとも、容器の落下による、底壁部の破損の程度を小さくできる。そして、底壁部の突出の程度を、容器の使用環境などを考慮して決定することにより、底壁部の破損を防止できる、または、その破損の程度を小さくできる。
【００７６】
また、第１〜４の実施形態では、隆起部３１の平面形状は、それぞれ、底壁部を、その中心回りに３分割した形状と同様の形状に形成された。しかしながら、これに限定されない。他の例では、隆起部３１の平面形状は、底壁部をその中心回りに３分割した形状と同様となる形状以外の形状であってもよい。
【００７７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７８】
１０…揮散装置、２０…容器、２０Ａ…容器、２０Ｂ…容器、２０Ｃ…容器、２５…周壁部、２５Ａ…周壁部、２６…底壁部、２６Ａ…底壁部、２６Ｂ…底壁部、２６Ｃ…底壁部、３０…稜部、３１…隆起部、３５…径方向内端面（面部）、３３…流路部、３４…合流部。
【図１】
2018104082.tif 000003
【図２】
2018104082.tif 000004
【図３】
2018104082.tif 000005
【図４】
2018104082.tif 000006
【図５】
2018104082.tif 000007
【図６】
2018104082.tif 000008
【図７】
2018104082.tif 000009
【図８】
2018104082.tif 000010
【図９】
2018104082.tif 000011
【図１０】
2018104082.tif 000012
【図１１】
2018104082.tif 000013
【図１２】
2018104082.tif 000014